(57)【特許請求の範囲】
【請求項１】
コネクタを保持するコネクタ保持治具であって、
前記コネクタを収容可能でかつ外表面に開口した穴を有する治具本体と、
前記治具本体に接離自在に設けられた接離部と、
前記接離部を前記治具本体に接離させる駆動源と、
互いに接離自在に設けられているとともに、互いに近づくと前記治具本体の穴内から前記コネクタが脱落することを規制する一対の押さえ片と、
前記駆動源が前記接離部を前記治具本体に近づけると、前記一対の押さえ片を互いに近づけ、前記駆動源が前記接離部を前記治具本体から離すと、前記一対の押さえ片を互いに離すリンク機構と、
を備え、
前記リンク機構は、
前記接離部の外表面に設けられた段部と、
それぞれが、中央部を中心として回動自在に設けられ、かつ前記接離部が前記治具本体に接離すると一端部が前記段部上を摺動するとともに、他端部が前記押さえ片に連結された一対の回動部材と、
前記回動部材の一端部を前記接離部の外表面に向かって付勢した付勢手段と、
を備えたことを特徴とするコネクタ保持治具。
【請求項２】
前記接離部は、該接離部が前記治具本体に近づくと、前記穴内に収容されたコネクタの端子と電気的に接続する導通部材を備えたことを特徴とする請求項１記載のコネクタ保持治具。
【請求項３】
前記段部は、前記接離部の外表面から凸に形成されていることを特徴とする請求項１又は請求項２記載のコネクタ保持治具。
【請求項４】
表面上にワイヤハーネスを布線する布線板と、
前記布線板に設置された請求項１ないし請求項３のうちいずれか一項に記載のコネクタ保持治具と、を備えたことを特徴とするワイヤハーネス布線装置。
【請求項５】
前記布線板は、互いに平行に配された複数のレール部と、
前記レール部に着脱自在で互いに大きさの異なる複数のパッチ板と、を備え、
前記コネクタ保持治具は、前記レール部に着脱自在な着脱部を備え、
前記ワイヤハーネスのコネクタを保持可能な位置に前記コネクタ保持治具を設け、前記複数のパッチ板のうち任意のパッチ板を選択して前記コネクタ保持治具間に設けたことを特徴とする請求項４記載のワイヤハーネス布線装置。
【発明の詳細な説明】
【技術分野】
【０００１】
本発明は、ワイヤハーネスに導通検査などを施す際に、該ワイヤハーネスのコネクタを保持するコネクタ保持治具と該コネクタ保持治具を備えたワイヤハーネス布線装置に関する。
【背景技術】
【０００２】
複数の電線と、これらの電線の端部それぞれに接続された端子を収容するコネクタと、を備えたワイヤハーネスは、前記端子それぞれについて、他の端子との導通の有無をチェックすることによって、良否が判定されてきた。
【０００３】
従来この種のワイヤハーネスの検査方法は、以下に示す手順に沿って行われてきた。ワイヤハーネスの端子のうち一つの端子を選択して、この選択した端子に印加して、他の端子の電位の高・低を判定する。全ての端子に順番に印加して、それぞれの場合の印加した端子以外の全ての端子の電位を順番に判定する。そして、全ての端子の相互の導通状況を把握する。
【０００４】
前述したように把握した端子相互の導通状況と、前記ワイヤハーネスが正常である場合の端子相互の導通状況と、を対比することによって、前記ワイヤハーネスの良否、及び異常がある場合には異常箇所を把握してきた。
【０００５】
前述したようにワイヤハーネスを検査するために、従来から種々のコネクタ保持治具（例えば、特許文献１参照）が用いられてきた。特許文献１に示されたコネクタ保持治具は、コネクタを収容可能でかつ外表面に開口した穴を有する治具本体と、前記治具本体に回動自在に設けられた回動片と、エアシリンダと、を備えている。
【０００６】
回動片は、その一端部が鈎状に形成されて、該一端部が前記穴内に突出する位置と、該一端部が穴内から抜け出る位置と、に亘って回動自在に設けられている。ソレノイドは、治具本体に取り付けられたソレノイド本体と、該ソレノイド本体から突没自在に設けられたロッドと、を備えている。ロッドは、回動片の他端部に連結している。
【０００７】
前述したコネクタ保持治具は、前記穴内にコネクタハウジングを収容した後、エアシリンダのロッドを伸長させて、該回動片の一端部を穴内に突出させる。こうして、コネクタ保持治具は、治具本体の穴内からコネクタが脱落することを規制して、該コネクタを保持して、該コネクタの端子を介して導通検査を施す。
【特許文献１】特開平５−２８８７９３号公報
【発明の開示】
【発明が解決しようとする課題】
【０００８】
しかしながら、前述した特許文献１に示されたコネクタ保持治具は、前記回動片が一つしか設けられていないため、回動片の一端部のみでコネクタに係止するため、該コネクタの係止箇所が一箇所のみであった。このため、前述した従来のコネクタ保持治具は、治具本体からコネクタが脱落し易く、脱落したコネクタを再度治具本体の穴内に挿入する必要が生じて、前述した導通検査にかかる手間が増加する傾向であった。
【０００９】
また、前記治具本体の外表面にスライド自在な押さえ片を一対設け、該押さえ片をスライドさせるエアシリンダなどを治具本体の前述した穴の開口部の近傍に配置することも考えられる。この場合、一対の押さえ片を互いに接離させ、該一対の押さえ片を互いに近づけることで、前述した穴からのコネクタの脱落を防止する。この場合、前述したシリンダを治具本体の穴の開口部の近傍に一対配置する必要が生じて、コネクタ保持治具の設置にかかるスペースが増加する傾向であった。
【００１０】
したがって、本発明の目的は、設置にかかるスペースが拡大することを防止できるとともに、保持したコネクタが脱落することを防止できるコネクタ保持治具と、該コネクタ保持治具を備えたワイヤハーネス布線装置を提供することにある。
【課題を解決するための手段】
【００１１】
前記課題を解決し目的を達成するために、請求項１に記載の本発明のコネクタ保持治具は、コネクタを保持するコネクタ保持治具であって、前記コネクタを収容可能でかつ外表面に開口した穴を有する治具本体と、前記治具本体に接離自在に設けられた接離部と、前記接離部を前記治具本体に接離させる駆動源と、互いに接離自在に設けられているとともに、互いに近づくと前記治具本体の穴内から前記コネクタが脱落することを規制する一対の押さえ片と、前記駆動源が前記接離部を前記治具本体に近づけると、前記一対の押さえ片を互いに近づけ、前記駆動源が前記接離部を前記治具本体から離すと、前記一対の押さえ片を互いに離すリンク機構と、を備え、前記リンク機構は、前記接離部の外表面に設けられた段部と、それぞれが、中央部を中心として回動自在に設けられ、かつ前記接離部が前記治具本体に接離すると一端部が前記段部上を摺動するとともに、他端部が前記押さえ片に連結された一対の回動部材と、前記回動部材の一端部を前記接離部の外表面に向かって付勢した付勢手段と、を備えたことを特徴としている。
【００１２】
請求項２に記載の本発明のコネクタ保持治具は、請求項１に記載のコネクタ保持治具において、前記接離部は、該接離部が前記治具本体に近づくと、前記穴内に収容されたコネクタの端子と電気的に接続する導通部材を備えたことを特徴としている。
【００１４】
請求項３記載の本発明のコネクタ保持治具は、請求項１又は請求項２に記載のコネクタ保持治具において、前記段部は、前記接離部の外表面から凸に形成されていることを特徴としている。
【００１５】
請求項４記載の本発明のワイヤハーネス布線装置は、表面上にワイヤハーネスを布線する布線板と、前記布線板に設置された請求項１ないし請求項３のうちいずれか一項に記載のコネクタ保持治具と、を備えたことを特徴としている。
【００１６】
請求項５記載の本発明のワイヤハーネス布線装置は、請求項４に記載のワイヤハーネス布線装置において、前記布線板は、互いに平行に配された複数のレール部と、前記レール部に着脱自在で互いに大きさの異なる複数のパッチ板と、を備え、前記コネクタ保持治具は、前記レール部に着脱自在な着脱部を備え、前記ワイヤハーネスのコネクタを保持可能な位置に前記コネクタ保持治具を設け、前記複数のパッチ板のうち任意のパッチ板を選択して前記コネクタ保持治具間に設けたことを特徴としている。
【００１７】
請求項１に記載した本発明のコネクタ保持治具によれば、治具本体の穴からのコネクタの脱落を規制する押さえ片を一対備えているので、該コネクタの脱落を確実に防止できる。
【００１８】
また、一対の押さえ片の接離と接離部の治具本体への接離とを連動させるリンク機構を備えているので、一対の押さえ片を接離させるために治具本体の穴の開口部の近傍にエアシリンダなどの駆動源を配置する必要が生じない。
リンク機構が、接離部の外表面に設けられた段部と、一端部が段部上を摺動しかつ他端部が押さえ片と連結された回動部材と、回動部材の一端部を接離部の外表面に向かって付勢した付勢手段を備えているので、駆動源が接離部を治具本体に接離させると、段部上を回動部材の一端部が摺動する。
すると、駆動源が接離部を治具本体に接離させると、回動部材が中央部を中心として回動して、該回動部材の他端部同士が接離する。したがって、一対の押さえ片が互いに接離する。
【００１９】
請求項２に記載した本発明のコネクタ保持治具によれば、接離部が端子と電気的に接触する導通部材を備えているので、治具本体に保持したコネクタを備えたワイヤハーネスの導通検査に用いることができる。
【００２２】
請求項３に記載した本発明のコネクタ保持治具によれば、段部が接離部の外表面から凸に形成されているので、回動部材を互いに交差させることなく、略平行な状態に配置することができる。
【００２３】
請求項４に記載した本発明のワイヤハーネス布線装置によれば、前述したコネクタ保持治具を備えているので、コネクタの脱落を防止できるとともに、コネクタ保持治具のコネクタを収容した穴の開口部の近傍にエアシリンダなどの駆動源を配置する必要が生じない。
【００２４】
請求項５に記載した本発明のワイヤハーネス布線装置によれば、コネクタ保持治具をレール部の任意の位置に設置でき、互いに大きさの異なる複数のパッチ板から任意のパッチ板を選択して、該パッチ板をコネクタ保持治具間に設置することができる。
【発明の効果】
【００２５】
以上説明したように、請求項１に記載の本発明によれば、コネクタの治具本体からの脱落を確実に防止できる。
【００２６】
また、一対の押さえ片を接離させるために治具本体の穴の開口部の近傍にエアシリンダなどの駆動源を配置する必要が生じないので、治具本体の穴の開口部の近傍が大型化することを防止でき、設置にかかるスペースが拡大することを防止できる。
リンク機構が、接離部の治具本体への接離と一対の押さえ片同士の接離とを確実に連動させることができるので、治具本体の穴の開口部の近傍に駆動源などを設ける必要が確実になくなり、コネクタ保持治具の設置にかかるスペースが拡大することを確実に防止できる。
【００２７】
請求項２に記載の本発明によれば、コネクタ保持治具を治具本体に保持したコネクタを備えたワイヤハーネスの導通検査に用いることができるので、該コネクタ保持治具をワイヤハーネスの導通検査装置に用いても、コネクタの脱落を防止できるので、ワイヤハーネスの導通検査を正確に行うことができる。
【００２９】
請求項３に記載の本発明によれば、回動部材を互いに交差させることなく、略平行な状態に配置することができるので、リンク機構の簡素化が図れ、該リンク機構の故障などを防止でき、リンク機構が接離部の接離と押さえ片の接離とを確実に連動させることができる。
【００３０】
請求項４に記載の本発明によれば、前述したコネクタ保持治具を備えているので、コネクタの脱落を防止できるとともに、設置にかかるスペースが拡大することを防止できる。
【００３１】
請求項５に記載の本発明によれば、コネクタ保持治具をレール部の任意の位置に設置でき、任意のパッチ板でコネクタ保持治具間の隙間を塞ぐことができるので、多種多様な構成のワイヤハーネスを、コネクタが脱落することなく布線することができる。
【発明を実施するための最良の形態】
【００３２】
以下、本発明の一実施形態にかかるワイヤハーネス布線装置としてのワイヤハーネス検査装置とコネクタ保持治具を図１ないし図１０を参照して説明する。
【００３３】
図１に示されたワイヤハーネス検査装置１は、ワイヤハーネス２（図９及び図１０に一部を断面で示す）を布線して、該ワイヤハーネス２に導通検査を施す際に用いられる。
【００３４】
ワイヤハーネス２は、図９及び図１０に示すように、複数の電線４と、これらの電線４の端部に取り付けられた端子５と、前記端子５を収容するコネクタハウジング６などを備えている。ワイヤハーネス２は、前記電線４を所望の形状に束ねかつこれらの電線４の主要部に図示しないプロテクタや樹脂チューブやクリップなどの部品を組み付けたり、テープが巻き付けられて構成されている。
【００３５】
電線４は、それぞれ、導電性の金属などからなる芯線と、この芯線を覆う絶縁性の合成樹脂などからなる被覆部と、を備えたいわゆる被覆電線である。端子５は、導電性の金属などからなる板金を折り曲げるなどして形成されている。端子５は、電線４の芯線と電気的に接続している。
【００３６】
コネクタハウジング６は、絶縁性の合成樹脂などからなりかつ端子収容室７を複数備えた箱状に形成されている。端子収容室７は、その内部に端子５を収容する。端子収容室７は、コネクタハウジング６内に設けられた直線状に伸びた空間である。端子収容室７の両端は、コネクタハウジング６の外表面に開口している。端子５と、端子５を収容したコネクタハウジング６とは、コネクタ８を構成している。即ち、ワイヤハーネス２は、コネクタ８を備えている。
【００３７】
ワイヤハーネス検査装置１は、図１に示すように、テーブル状のベース３と、布線板９と、コネクタ保持治具１０と、導通検査装置１１とを備えている。ベース３は、略水平方向に沿って平坦に配置された中央板部１３と、上方板部１４とを備えている。中央板部１３は、上方板部１４より下方に配置されている。これらの板部１３，１４は、互いに平行に配置されている。
【００３８】
布線板９は、図１ないし図３に示すように、複数のレール部１５（図１及び図３に示す）と、複数のパッチ板１６とを備えている。レール部１５は、図示例では、６本設けられている。レール部１５は、それぞれ直線状に延在している。レール部１５は、互いに平行に、前述した中央板部１３上に設置されている。レール部１５には、上面から凹でかつ該レール部１５の長手方向に沿って延在した凹溝１７が形成されている。
【００３９】
パッチ板１６は、それぞれ、平面形状が四角形の平板状に形成されている。パッチ板１６として、互いに大きさの異なるものが複数種存在する。これら複数種のパッチ板１６は、図示例では、前述したレール部１５に取り付けられた際に、該レール部１５の長手方向に直交する方向の長さ（以下、長さと呼ぶ）が互いに等しく形成されている。
【００４０】
また、複数のパッチ板１６は、レール部１５の長手方向の幅（以下、幅と呼ぶ）が、互いに異なるものが３種類設けられている。これら３種類のパッチ板１６のうち幅の大きなものから順に以下、第１パッチ板１６ａ、第２パッチ板１６ｂ及び第３パッチ板１６ｃと呼ぶ。これらのパッチ板１６ａ，１６ｂ，１６ｃは、互いに厚みが等しく形成されている。また、図示例では、第１パッチ板１６ａの幅は、前述した第２パッチ板１６ｂの２つ分の幅と、第３パッチ板１６ｃの３つ分の幅との双方と等しい。
【００４１】
パッチ板１６ａ，１６ｂ，１６ｃは、図７及び図８に示すように、平板状の板本体１８と、複数の着脱部１９とを備えている。板本体１８は、絶縁性の合成樹脂で構成され、前述した長さと幅と厚みに形成されている。着脱部１９は、板本体１８の前述した幅方向の中央でかつ長さ方向の両端部に設けられている。着脱部１９は、板本体１８を貫通した貫通孔２０と、収容筒２１と、固定ピン２２とを備えている。
【００４２】
貫通孔２０は、その平面形状が円形である。収容筒２１は、弾性とを有する金属で構成されて、円筒状に形成されている。収容筒２１の外径は、貫通孔２０の内径と略等しい。収容筒２１は、その軸芯方向の一端部に該軸芯方向に沿って伸びた複数の切り込み２３が形成されている。切り込み２３は、収容筒２１の端から該収容筒２１の中央部に向かって直線状に伸びているとともに、勿論該収容筒２１を構成する母材を切断している。収容筒２１は、前述した一端部が、パッチ板１６ａ，１６ｂ，１６ｃの一方の表面から突出する状態で、貫通孔２０内に収容されている。
【００４３】
固定ピン２２は、円柱状の押出部２４と、該押出部２４の一端部に設けられた操作部２５とを一体に備えている。押出部２４の外径は、収容筒２１の内径より若干大きい。押出部２４は、収容筒２１内に侵入可能である。操作部２５は、押出部２４より外径の大きな円盤状に形成されている。操作部２５は、押出部２４と同軸に配置されている。固定ピン２２は、前述した押出部２４が収容筒２１内に侵入し、かつ操作部２５がパッチ板１６の他方の表面から突出する状態で、前述したパッチ板１６ａ，１６ｂ，１６ｃに取り付けられる。
【００４４】
前述した構成の着脱部１９は、以下のように、パッチ板１６ａ，１６ｂ，１６ｃをレール部１５に固定する。まず、図７に示すように各パッチ板１６ａ，１６ｂ，１６ｃの貫通孔２０内に前述したように収容筒２１を収容し、かつ固定ピン２２を前述したように該パッチ板１６ａ，１６ｂ，１６ｃに取り付ける。パッチ板１６ａ，１６ｂ，１６ｃの前述した一方の表面をレール部１５に重ね、収容筒２１の一端部をレール部１５の凹溝１７内に挿入する。そして、固定ピン２２の操作部２５を貫通孔２０内に圧入する。
【００４５】
すると、図８に示すように、固定ピン２２の押出部２４が収容筒２１の一端部内に圧入されて、該押出部２４の外径と収容筒２１の内径が前述したように形成されかつ切り込み２３が設けられているので、収容筒２１の一端部がレール部１５の凹溝１７内で拡がる。そして、収容筒２１の一端部がレール部１５の凹溝１７内で拡がって、着脱部１９は、パッチ板１６ａ，１６ｂ，１６ｃをレール部１５即ちベース３に固定する。
【００４６】
また、パッチ板１６ａ，１６ｂ，１６ｃをレール部１５即ちベース３から取り外す際には、該パッチ板１６ａ，１６ｂ，１６ｃをレール部１５から引き剥がす。そして、治具などを用いて、固定ピン２２の押出部２４を収容筒２１内から押し出して、操作部２５が前述した他方の表面から突出する位置に、該固定ピン２２を位置付ける。
【００４７】
コネクタ保持治具１０は、コネクタ８を保持して端子５それぞれとの導通を確保する治具である。コネクタ保持治具１０は、互いに外形や大きさの異なるコネクタ８を保持可能なものが複数種設けられている。図示例では、後述するカバー部材３２の平面形状が前述した第２パッチ板１６ｂと等しいコネクタ保持治具１０と、カバー部材３２の平面形状が前述した第３パッチ板１６ｃと等しいコネクタ保持治具１０と、が設けられている。これらのコネクタ保持治具１０は、互いに構成が等しいので、以下、カバー部材３２の平面形状が前述した第２パッチ板１６ｂと等しいコネクタ保持治具１０を代表して説明する。
【００４８】
コネクタ保持治具１０は、図４及び図６に示すように、治具本体２６と、接離部としての導通検査部２７と、駆動源としてのエアシリンダ２８と、一対の押さえ片２９と、リンク機構３０と、を備えている。
【００４９】
治具本体２６は、本体部材３１と、カバー部材３２（図５に示す）と、フレーム３３と、着脱部３４（図４及び図５に示す）とを備えている。本体部材３１は、絶縁性の合成樹脂で構成されており、その平面形状が前述した第２パッチ板１６ｂの平面形状と等しい。本体部材３１は、厚手の平板状の本体部３５と、該本体部３５の外縁に連なったフランジ部３６とを一体に備えている。
【００５０】
本体部３５は、コネクタ保持治具１０がレール部１５即ちベース３に取り付けられると、互いに隣り合う一対のレール部１５間に配置される。本体部３５には、内側にコネクタ８を収容する収容穴３７と、リンク機構３０の後述する回転部材５４を通す通し孔３８とが貫通している。収容穴３７と通し孔３８とは、本体部３５の一つの外表面としての上面に開口している。通し孔３８は、一対設けられている。これら一対の通し孔３８は、互いの間に収容穴３７を位置付けている。また、収容穴３７の内面には、コネクタ８が下方に脱落することを防止する段差３９が設けられている。
【００５１】
フランジ部３６は、本体部３５より薄い板状に形成されており、その上面が本体部３５の上面と面一に形成されている。フランジ部３６は、コネクタ保持治具１０がレール部１５即ちベース３に取り付けられると、レール部１５上に配置される。
【００５２】
カバー部材３２は、絶縁性の合成樹脂で構成され、平面形状が前述した第２パッチ板１６ｂの平面形状と等しい平板状に形成されている。カバー部材３２は、本体部材３１上に重ねられて、該本体部材３１に固定されている。また、カバー部材３２には、前述した収容穴３７と連通する貫通穴４０と、該貫通穴４０と連通しかつカバー部材３２の長手方向に沿って延在した一対のスライド溝４１とが設けられている。貫通穴４０と収容穴３７とで、コネクタ８を収容可能な穴４２を構成している。穴４２は、勿論、コネクタ８を収容可能である。貫通孔２０がカバー部材３２を貫通しているので、穴４２は、勿論、治具本体２６の外表面としてのカバー部材３２の上面に開口している。スライド溝４１は、カバー部材３２の本体部材３１に重なる下面から凹に形成されている。スライド溝４１は、内側に押さえ片２９を位置付ける。また、カバー部材３２には、ランプ４３が設けられている。
【００５３】
フレーム３３は、一対の鉛直片４４と、一つの連結片４５とを備えて、コ字状に形成されている。鉛直片４４は、互いに平行に配置されている。鉛直片４４は、本体部材３１の本体部３５の前述した上面に対して直交する側面に取り付けられている。鉛直片４４は、前記側面から本体部３５の上面に対して直交する方向に沿って、直線状に延在している。鉛直片４４は、図示例では、鉛直方向に沿って直線状に延在している。連結片４５は、鉛直片４４の本体部材３１の本体部３５から離れた側の端同士を連結している。
【００５４】
着脱部３４は、カバー部材３２と本体部材３１のフランジ部３６の隅部それぞれに設けられている。着脱部３４は、前述したパッチ板１６ａ，１６ｂ，１６ｃの着脱部１９と構成が等しいので、同一符号を付して説明を省略する。
【００５５】
導通検査部２７は、検査部本体４６と、複数の導通部材としての導通ピン４７を備えている。検査部本体４６は、絶縁性の合成樹脂で構成され、方体状に形成されている。検査部本体４６は、一対の鉛直片４４の長手方向の中央部間に配置され、連結片４５から立設したスライド棒４８によって、スライド自在に設けられている。即ち、検査部本体４６は、治具本体２６に接離自在に設けられている。なお、接離とは、互いに近づいたり離れることを示している。また、検査部本体４６には、治具本体２６に対する表面から凹の凹み４９が形成されている。凹み４９は、検査部本体４６が治具本体２６に近づくと、前述した収容穴３７と貫通穴４０と連通する。凹み４９は、検査部本体４６が治具本体２６に近づくと、収容穴３７に収容されたコネクタ８が侵入する。
【００５６】
導通ピン４７は、それぞれ、導電性の金属などから構成されている。導通ピン４７は、それぞれピン状に形成されている。導通ピン４７は、ぞれぞれ、検査部本体４６を貫通している。導通ピン４７は、それぞれ、一端部が凹み４９内に位置しているとともに、他端部が検査部本体４６の治具本体２６から離れた側に位置している。
【００５７】
導通ピン４７は、検査部本体４６即ち導通検査部２７が治具本体２６に近づくと、凹み４９内に侵入するコネクタ８の端子収容室７と合致する位置に設けられている。導通ピン４７は、凹み４９内に侵入したコネクタ８の端子５と接触して、該端子５と電気的に接続する。導通ピン４７の他端部には、それぞれ、図示しない電線が接続している。これらの電線は、導通検査装置１１に接続している。即ち、導通検査部２７は、導通検査装置１１に接続している。
【００５８】
また、導通検査部２７の検査部本体４６の凹み４９の底面には、該凹み４９内にコネクタ８が侵入したか否かを検出するスイッチピン５０が設けられている。
【００５９】
エアシリンダ２８は、シリンダ本体５１と、該シリンダ本体５１から突没自在に設けられたロッド５２とを備えている。シリンダ本体５１は、フレーム３３の連結片４５に取り付けられている。シリンダ本体５１即ちエアシリンダ２８は、シリンダ本体５１から伸長したロッド５２が治具本体２６に近づく状態に配置されている。ロッド５２は、導通検査部２７の検査部本体４６に取り付けられている。エアシリンダ２８は、ロッド５２を伸縮することで、導通検査部２７を治具本体２６に接離させる。
【００６０】
一対の押さえ片２９は、それぞれ板状に形成されている。押さえ片２９は、スライド溝４１内に収容されて、該スライド溝４１内をスライド自在となっている。押さえ片２９は、スライド溝４１内に収容されることで、治具本体２６の本体部材３１の外表面としての上面に重ねられる。押さえ片２９は、カバー部材３２の長手方向に沿ってスライドする。一対の押さえ片２９は、カバー部材３２の長手方向に沿ってスライドすることで、互いに接離自在に設けられる。押さえ片２９は、後述するリンク機構３０によって、互いに近づくと、互いに近接する側の端部が前述した貫通穴４０即ち穴４２の内面より該貫通穴４０即ち穴４２の内側に突出する。押さえ片２９は、互いに近接する側の端部が前述した貫通穴４０即ち穴４２の内面より該貫通穴４０即ち穴４２の内側に突出すると、穴４２内のコネクタ８が該穴４２即ち治具本体２６から脱落することを規制する。
【００６１】
リンク機構３０は、段部５３と、一対の回動部材５４と、付勢手段としての一対のコイルばね５５とを備えている。段部５３は、導通検査部２７の検査部本体４６の治具本体２６から離れた側即ち回動部材５４の後述する回転中心をなす中央部５４ａより治具本体２６から離れた側に配置されている。段部５３は、導通検査部２７の検査部本体４６の外表面から凸に形成されている。即ち、段部５３は、導通検査部２７の検査部本体４６の外表面に設けられている。段部５３には、治具本体２６から離れるのにしたがって徐々に検査部本体４６の外側に向かう傾斜面５６が設けられている。
【００６２】
回動部材５４は、棒状に形成されている。一対の回動部材５４は、互いに略平行に配置されている。回動部材５４は、治具本体２６のフレーム３３の鉛直片４４から立設した立設片５７に中央部５４ａを中心として回動自在に支持されている。即ち、回動部材５４は、中央部５４ａを中心として回動自在に治具本体２６に支持されている。
【００６３】
回動部材５４は、治具本体から離れた側の一端部５４ｂが、治具本体２６に接離する導通検査部２７の外表面上を摺動可能である（な位置に配置されている）。即ち、回動部材５４の一端部５４ｂは、治具本体２６に接離する導通検査部２７の段部５３上を摺動する。回動部材５４の治具本体２６寄りの他端部５４ｃは、押さえ片２９と連結している。回動部材５４は、治具本体２６に導通検査部２７が接離することで、一端部５４ｂが段部５３から押圧されて、中央部５４ａを中心として回動する。回動部材５４は、中央部５４ａを中心として回動することで、一対の押さえ片２９を互いに接離させる。
【００６４】
コイルばね５５は、フレーム３３の鉛直片４４と回動部材５４の一端部５４ｂとの間に位置して、該回動部材５４の一端部５４ｂを導通検査部２７の検査部本体４６の外表面即ち段部５３に向かって付勢している。
【００６５】
前述した構成のリンク機構３０は、導通検査部２７の検査部本体４６が治具本体２６から離れると、回動部材５４の一端部５４ｂが段部５３と当接せずに、該回動部材５４の一端部５４ｂ同士が互いに近づく。すると、リンク機構３０は、一対の回動部材５４の他端部５４ｃが互いに離れて、一対の押さえ片２９が互いに離れて、押さえ片２９の前述した端部を貫通穴４０即ち穴４２の内面より該貫通穴４０即ち穴４２の外側に位置させる（貫通穴４０即ち穴４２の内面から突出させない）。
【００６６】
また、リンク機構３０は、導通検査部２７の検査部本体４６が治具本体２６に近づくと、回動部材５４の一端部５４ｂが段部５３上を摺動（当接）して、該回動部材５４の一端部５４ｂ同士が互いに離れる。すると、リンク機構３０は、一対の回動部材５４の他端部５４ｃが互いに近づいて、一対の押さえ片２９が互いに近づいて、押さえ片２９の前述した端部を貫通穴４０即ち穴４２の内面より該貫通穴４０即ち穴４２の内側に突出させる（貫通穴４０即ち穴４２の内面から突出させる）。
【００６７】
このように、リンク機構３０は、エアシリンダ２８が導通検査部２７を治具本体２６に近づけると、一対の押さえ片２９を互いに近づけ、エアシリンダ２８が導通検査部２７を治具本体２６から離すと、一対の押さえ片２９を互いに離す。即ち、リンク機構３０は、導通検査部２７の治具本体２６への接離と、一対の押さえ片２９同士の接離とを連動させる。
【００６８】
導通検査装置１１は、周知のコンピュータなどを備えており、前述したコネクタ保持治具１０のランプ４３、スイッチピン５０やエアシリンダ２８などと接続して、これらの動作を制御して、ワイヤハーネス検査装置１全体の制御をつかさどる。
【００６９】
導通検査装置１１は、ワイヤハーネス２に導通検査を施す際に、予めコネクタ８を保持するコネクタ保持治具１０を記憶している。導通検査装置１１は、ワイヤハーネス２に導通検査を施す際に、コネクタ８を保持するコネクタ保持治具１０のランプ４３を点灯する。導通検査装置１１は、スイッチピン５０からの情報に基づいて、ランプ４３が点灯した全てのコネクタ保持治具１０にコネクタ８が保持されたか否かを判定し、ランプ４３が点灯した全てのコネクタ保持治具１０にコネクタ８が保持されたと判定すると、ランプ４３が点灯した全てのコネクタ保持治具１０のエアシリンダ２８のロッド５２を伸長させる。
【００７０】
そして、導通検査装置１１は、ワイヤハーネス２のコネクタ８の端子５に順に電流を流して、端子５間の導通状況を把握する。導通検査装置１１は、把握した端子５間の導通状況と、良品のワイヤハーネス２の端子５間の導通状況とを対比して、導通検査中のワイヤハーネス２が良品であるか否かを判定する。導通検査装置１１は、判定が終了すると、判定結果を図示しない表示装置などに表示して、エアシリンダ２８のロッド５２を縮小させる。
【００７１】
前述した構成のワイヤハーネス検査装置１を用いて、ワイヤハーネス２の良否を判定する際には、まず、検査するワイヤハーネス２のコネクタ８の位置に応じて、レール部１５の該コネクタ８を可能な位置にコネクタ保持治具１０を固定する（設ける）。このコネクタ保持治具１０は、勿論、複数種のコネクタ保持治具１０のうち保持すべきコネクタ８の品番に応じたものが選択されて用いられる。また、コネクタ保持治具１０をレール部１５に固定する際には、該コネクタ保持治具１０の治具本体２６のフランジ部３６をレール部１５に重ね、着脱部３４の固定ピン２２を貫通孔２０内に圧入する。
【００７２】
コネクタ保持治具１０を所望の位置に取り付けた後、前述した複数種のパッチ板１６ａ，１６ｂ，１６ｃからコネクタ保持治具１０間を塞ぐことが可能なパッチ板１６ａ，１６ｂ，１６ｃの組み合わせを選択して、選択した組み合わせのパッチ板１６ａ，１６ｂ，１６ｃをレール部１５のコネクタ保持治具１０間に固定する（設ける）。こうして、まず、前述した布線板９を組み立てる。そして、コネクタ保持治具１０と導通検査装置１１とを接続する。このとき、前述したエアシリンダ２８のロッド５２は縮小している。
【００７３】
そして、導通検査装置１１を動作させると、該導通検査装置１１がランプ４３を点灯する。そして、作業員がランプ４３が点灯したコネクタ保持治具１０の穴４２内にコネクタ８を挿入する。すると、ワイヤハーネス２は、布線板９上に布線（配線）される。即ち、布線板９は、表面上にワイヤハーネス２を布線する。そして、図９に示すように、スイッチピン５０からの情報に基づいて全てのコネクタ保持治具１０にコネクタ８が取り付けられたと判定すると、導通検査装置１１は、全てのコネクタ保持治具１０のエアシリンダ２８のロッド５２を伸長する。
【００７４】
すると、回動部材５４の一端部５４ｂが段部５３上を摺動して、一端部５４ｂが互いに離れる方向に回動部材５４が回動する。一対の押さえ片２９同士が互いに近づく。そして、図１０に示すように、押さえ片２９の前述した端部が貫通穴４０即ち穴４２の内面から突出して、コネクタ８が穴４２内から脱落することを押さえ片２９が規制する。
【００７５】
全てのコネクタ保持治具１０のエアシリンダ２８のロッド５２が伸長すると、導通検査装置１１がワイヤハーネス２に導通検査を施す。導通検査装置１１がワイヤハーネス２の良否を判定した後、ワイヤハーネス２の良否などを表示装置などに表示するとともに、全てのコネクタ保持治具１０のエアシリンダ２８のロッド５２を縮小する。そして、作業員が、コネクタ８をコネクタ保持治具１０の穴４２内から取り外して、導通検査が施されたワイヤハーネス２を布線板９から取り外す。そして、作業員が、導通検査が施されていないワイヤハーネス２を再度布線板９に布線して、先ほどと同様に、ワイヤハーネス２に導通検査を施す。
【００７６】
本実施形態によれば、治具本体２６の穴４２からのコネクタ８の脱落を規制する押さえ片２９を一対備えているので、該コネクタ８の脱落を確実に防止できる。
【００７７】
また、一対の押さえ片２９の接離と導通検査部２７の治具本体２６への接離とを連動させるリンク機構３０を備えているので、一対の押さえ片２９を接離させるために治具本体２６の穴４２の開口部の近傍にエアシリンダなどの駆動源を配置する必要が生じない。したがって、治具本体２６の穴４２の開口部の近傍が大型化することを防止でき、コネクタ保持治具１０の設置にかかるスペースが拡大することを防止できる。
【００７８】
導通検査部２７が端子５と電気的に接触する導通ピン４７を備えているので、コネクタ保持治具１０を治具本体２６に保持したコネクタ８を備えたワイヤハーネス２の導通検査に用いることができる。このため、該コネクタ保持治具１０をワイヤハーネス検査装置１に用いても、コネクタ８の脱落を防止できるので、ワイヤハーネス２の導通検査を正確に行うことができる。
【００７９】
リンク機構３０が、導通検査部２７の検査部本体４６の外表面に設けられた段部５３と、一端部５４ｂが段部５３上を摺動しかつ他端部５４ｃが押さえ片２９と連結された回動部材５４と、回動部材５４の一端部５４ｂを導通検査部２７の検査部本体４６の外表面に向かって付勢したコイルばね５５を備えているので、エアシリンダ２８が導通検査部２７を治具本体２６に接離させると、段部５３上を回動部材５４の一端部５４ｂが摺動する。すると、エアシリンダ２８が導通検査部２７を治具本体２６に接離させると、回動部材５４が中央部５４ａを中心として回動して、該回動部材５４の他端部５４ｃ同士が接離する。したがって、一対の押さえ片２９が互いに接離する。
【００８０】
したがって、リンク機構３０が、導通検査部２７の治具本体２６への接離と一対の押さえ片２９同士の接離とを確実に連動させることができるので、治具本体２６の穴４２の開口部の近傍に駆動源などを設ける必要が確実になくなり、コネクタ保持治具１０の設置にかかるスペースが拡大することを確実に防止できる。
【００８１】
段部５３が導通検査部２７の検査部本体４６の外表面から凸に形成されているので、回動部材５４を互いに交差させることなく、略平行な状態に配置することができる。このため、リンク機構３０の簡素化が図れ、該リンク機構３０の故障などを防止でき、リンク機構３０が導通検査部２７の接離と押さえ片２９同士の接離とを確実に連動させることができる。
【００８２】
ワイヤハーネス検査装置１は、前述したコネクタ保持治具１０を備えているので、コネクタ８の脱落を防止できるとともに、設置にかかるスペースが拡大することを防止できる。また、ワイヤハーネス検査装置１は、コネクタ保持治具１０をレール部１５の任意の位置に設置でき、互いに大きさの異なる複数のパッチ板１６ａ，１６ｂ，１６ｃから任意のパッチ板１６ａ，１６ｂ，１６ｃを選択して、該パッチ板１６ａ，１６ｂ，１６ｃをコネクタ保持治具１０間に設置することができ、任意のパッチ板１６ａ，１６ｂ，１６ｃでコネクタ保持治具１０間の隙間を塞ぐことができる。したがって、多種多様な構成のワイヤハーネス２を、コネクタ８が脱落することなく布線することができる。
【００８３】
前述した実施形態では、付勢手段としてコイルばね５５を用いている。しかしながら、本発明では、勿論、付勢手段としてゴムなどの他の弾性体を用いても良い。さらに、コイルばねなどの付勢手段を適宜な箇所に配置しても良い。前述した実施形態では、コネクタ保持治具１０は、ワイヤハーネス検査装置１を構成している。しかしながら、本発明のコネクタ保持治具１０は、ワイヤハーネス検査装置１に限らず、該ワイヤハーネス２を布線する装置であれば、種々の装置に適用することができる。また、駆動源として、ソレノイドやモータなどのエアシリンダ２８以外の種々の駆動源を用いても良い。
【００８４】
また、本発明では、図１１及び図１２に示すように、段部５３を導通検査部２７の検査部本体４６の外表面から凹に形成しても良い。なお、図１１及び図１２において、前述した実施形態と同一部分には、同一符号を付して説明を省略する。図１１及び図１２に示す場合では、回動部材５４の前述した一端部５４ｂ同士を交差させている。さらに、本発明では、接離部に導通部材としての導通ピン４７を設けることなく、該導通部材としての導通ピン４７を治具本体２６に設けても良い。なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００８５】
【図１】本発明の一実施形態にかかるワイヤハーネス検査装置を示す斜視図である。
【図２】図１に示されたワイヤハーネス検査装置の布線板の平面図である。
【図３】図２に示された  布線板の一部を分解して示す斜視図である。
【図４】図２中のＩＶ−ＩＶ線に沿う断面図である。
【図５】図１に示されたワイヤハーネス検査装置のコネクタ保持治具の平面図である。
【図６】図５中のＶＩ−ＶＩ線に沿う断面図である。
【図７】図４に示された布線板のパッチ板の固定前の着脱部などを示す断面図である。
【図８】図７に示された着脱部がパッチ板を固定した状態を示す断面図である。
【図９】図６に示されたコネクタ保持治具にコネクタを取り付けた状態を示す断面図である。
【図１０】図９に示されたコネクタ保持治具のエアシリンダのロッドが伸長した状態を示す断面図である。
【図１１】図９に示されたコネクタ保持治具の変形例を示す断面図である。
【図１２】図１０に示されたコネクタ保持治具の変形例を示す断面図である。
【符号の説明】
【００８６】
１  ワイヤハーネス検査装置（ワイヤハーネス布線装置）
２  ワイヤハーネス
８  コネクタ
９  布線板
１０  コネクタ保持治具
１５  レール部
１６  パッチ板
１６ａ  第１パッチ板
１６ｂ  第２パッチ板
１６ｃ  第３パッチ板
２６  治具本体
２７  導通検査部（接離部）
２８  エアシリンダ（駆動源）
２９  押さえ片
３０  リンク機構
３４  着脱部
４２  穴
４７  導通ピン（導通部材）
５３  段部
５４  回動部材
５４ａ  中央部
５４ｂ  一端部
５４ｃ  他端部
５５  コイルばね（付勢手段）
【図１】
0004654100.tif 000002
【図２】
0004654100.tif 000003
【図３】
0004654100.tif 000004
【図４】
0004654100.tif 000005
【図５】
0004654100.tif 000006
【図６】
0004654100.tif 000007
【図７】
0004654100.tif 000008
【図８】
0004654100.tif 000009
【図９】
0004654100.tif 000010
【図１０】
0004654100.tif 000011
【図１１】
0004654100.tif 000012
【図１２】
0004654100.tif 000013